(57)【特許請求の範囲】
【請求項１】
テレビ放送局が放送した放送番組の映像を録画した録画ファイルと、当該録画ファイルが格納された録画手段と、前記映像に対応する複数のメタデータからなるメタデータ格納ファイルと、当該メタデータ格納ファイルが格納されたメタデータ格納手段と、広域通信ネットワークを介して前記録画ファイル及び前記メタデータ格納ファイルにアクセスする携帯端末と、を備え、
前記携帯端末は、前記メタデータ格納ファイルにアクセスして前記複数のメタデータをディスプレイ上に表示する機能と、使用者による、前記ディスプレイ上に表示された前記複数のメタデータの選択を受け付ける機能と、前記録画ファイルにアクセスして前記選択されたメタデータに対応する映像を取得する機能と、当該映像をディスプレイ上に表示する機能と、を有し、
前記メタデータ格納ファイルには、放送番組の内容を文字化した番組コンテンツ要約テキストデータと、放送番組が放送されたチャンネル名と、前記映像のタイムコードと、が前記複数のメタデータとして記録されており、
前記番組コンテンツ要約テキストデータは前記放送番組を構成する記事単位で作成され、
前記ディスプレイ上には、前記放送番組を分類する分類項目部が表示されると共に、最新の個別のテレビニュース情報が文字によるメタデータにより放送時間順に表示された情報表示部が表示され、
前記分類項目部の各分類項目を起動させた場合には対応する、前記記事単位で作成された前記番組コンテンツ要約テキストデータを含む番組コンテンツのテキストデータが表示されると共に、前記情報表示部の各表示部を起動させた場合には前記各表示部に対応する個別の動画情報及び説明文が表示されるように構成されていることを特徴とする携帯端末映像表示システム。
【請求項２】
テレビ放送局が放送した放送番組の映像データを記録した記録ファイルと、当該記録ファイルが格納された記録手段と、前記映像データに対応する複数のメタデータからなるメタデータ格納ファイルと、当該メタデータ格納ファイルが格納されたメタデータ格納手段と、広域通信ネットワークを介して前記記録ファイル及び前記メタデータ格納ファイルにアクセスする携帯端末とを備え、
前記携帯端末は、前記メタデータ格納ファイルにアクセスして前記複数のメタデータをディスプレイ上に表示する機能と、使用者による、前記ディスプレイ上に表示された前記複数のメタデータの選択を受け付ける機能と、前記記録ファイルにアクセスして前記選択されたメタデータに対応する映像データを取得する機能と、当該映像データに基づく映像をディスプレイ上に表示する機能と、を有し、
前記メタデータ格納ファイルには、放送番組の内容を文字化した番組コンテンツ要約テキストデータと、放送番組が放送されたチャンネル名と、前記映像データのタイムコードと、が前記複数のメタデータとして記録されており、
前記番組コンテンツ要約テキストデータは前記放送番組を構成する記事単位で作成され、
前記ディスプレイ上には、前記放送番組を分類する分類項目部が表示されると共に、最新の個別のテレビニュース情報が文字によるメタデータにより放送時間順に表示された情報表示部が表示され、
前記分類項目部の各分類項目を起動させた場合には対応する、前記記事単位で作成された前記番組コンテンツ要約テキストデータを含む番組コンテンツのテキストデータが表示されると共に、前記情報表示部の各表示部を起動させた場合には前記各表示部に対応する個別の動画情報及び説明文が表示されるように構成されていることを特徴とする携帯端末映像表示システム。
【発明の詳細な説明】
【技術分野】
【０００１】
本発明は、テレビ放送局が放送した放送番組の映像を、使用者が適宜選択して携帯端末のディスプレイ上に表示させて見ることができる携帯端末映像表示システムに関する。
【背景技術】
【０００２】
現在、携帯電話、特にスマートフォンと称される多機能携帯電話が普及して広く使用されている。このようなスマートフォンには、ブラウザ機能が内蔵されており、インターネットへの接続により様々なウェブ情報をディスプレイ上に表示して閲覧することができるようなっている。
【０００３】
一方、本件特許出願人は、過去において、テレビ放送局が放送した放送番組の映像を録画する録画手段と、前記録画手段により録画された映像に対応させ番組内容を要約したメタデータを格納するメタデータ格納手段と、前記メタデータを表示させることができるディスプレイと、を備え、使用者がディスプレイ上に表示されたメタデータを視認して適宜選択することにより、当該メタデータに対応する映像をディスプレイ上に表示させて視認できるように構成された映像システムに関する発明を出願して特許を取得している。（特許文献１）
【０００４】
前記のようにスマートフォンの普及は著しく、また、ディスプレイの画質及び大きさは随時改良され、現在では高解像度の大型テレビと同様の解像度を有すると共に、戸外の外光下でも十分に見やすい高輝度を実現していることから、使用者は、戸外においてもスマートフォンで高品質な映像を視認できるようになっている。
【０００５】
従って、テレビ放送局が放送した放送番組の映像の内、使用者が希望する放送番組又はその放送番組内の個別のコーナーの映像を適宜選択して携帯端末を利用して戸外においても映像をディスプレイ上において視認して楽しめれば便利である。
【０００６】
現代人は非常に多忙であり長距離通勤者も多数いることから、家庭においてゆっくりとテレビ受像機により放送番組の映像を視認する時間がない場合も多く、そのような場合には、例えば、通勤途上において通勤電車内又はオフィスにおいて携帯電話を利用して希望する放送番組又はその放送番組内の個別のコーナーの映像を見て楽しみたい場合もある。
【先行技術文献】
【特許文献】
【０００７】
【特許文献１】特許第４２２７８６６号
【発明の開示】
【発明が解決しようとする課題】
【０００８】
本発明は、このような要請に応えるものであり、携帯端末を利用して、使用者が希望するテレビ放送局が放送した映像を選択してディスプレイ上において手軽かつ迅速に視認できるようにした携帯端末映像表示システムを提供することにある。
【課題を解決するための手段】
【０００９】
上記課題達成のため、請求項１記載の発明にあっては、テレビ放送局が放送した放送番組の映像を録画した録画ファイルと、当該録画ファイルが格納された録画手段と、前記映像に対応する複数のメタデータからなるメタデータ格納ファイルと、当該メタデータ格納ファイルが格納されたメタデータ格納手段と、広域通信ネットワークを介して前記録画ファイル及び前記メタデータ格納ファイルにアクセスする携帯端末と、を備え、前記携帯端末は、前記メタデータ格納ファイルにアクセスして前記複数のメタデータをディスプレイ上に表示する機能と、使用者による、前記ディスプレイ上に表示された前記複数のメタデータの選択を受け付ける機能と、前記録画ファイルにアクセスして前記選択されたメタデータに対応する映像を取得する機能と、当該映像をディスプレイ上に表示する機能と、を有し、前記メタデータ格納ファイルには、放送番組の内容を文字化した番組コンテンツ要約テキストデータと、放送番組が放送されたチャンネル名と、前記映像のタイムコードと、が前記複数のメタデータとして記録されており、前記番組コンテンツ要約テキストデータは前記放送番組を構成する記事単位で作成され、前記ディスプレイ上には、前記放送番組を分類する分類項目部が表示されると共に、最新の個別のテレビニュース情報が文字によるメタデータにより放送時間順に表示された情報表示部が表示され、前記分類項目部の各分類項目を起動させた場合には対応する、前記記事単位で作成された前記番組コンテンツ要約テキストデータを含む番組コンテンツのテキストデータが表示されると共に、前記情報表示部の前記各表示部を起動させた場合には各表示部に対応する個別の動画情報及び説明文が表示されるように構成されていることを特徴とする。
【００１０】
ここで「映像」とは、例えば、所定時間に亘るある放送番組全体の映像、放送番組を構成するコーナー映像、さらに、放送番組を構成する各記事単位の映像を含む概念である。
従って、請求項１記載の発明にあっては、使用者は、携帯端末のブラウザ機能を利用して広域通信ネットワークを介してメタデータ格納ファイルにアクセスしてテレビ放送局により放送された映像に対応する複数のメタデータをディスプレイ上に表示させ、自分の希望するメタデータを選択する。
メタデータが選択された場合には、同様にブラウザ機能により広域通信ネットワークを介して前記録画手段の前記録画ファイルにアクセスして当該メタデータに対応する映像を取得してディスプレイ上に表示する。
【００１１】
請求項２記載の発明にあっては、当該記録ファイルが格納された記録手段と、前記映像データに対応する複数のメタデータからなるメタデータ格納ファイルと、当該メタデータ格納ファイルが格納されたメタデータ格納手段と、広域通信ネットワークを介して前記記録ファイル及び前記メタデータ格納ファイルにアクセスする携帯端末とを備え、前記携帯端末は、前記メタデータ格納ファイルにアクセスして前記複数のメタデータをディスプレイ上に表示する機能と、使用者による、前記ディスプレイ上に表示された前記複数のメタデータの選択を受け付ける機能と、前記記録ファイルにアクセスして前記選択されたメタデータに対応する映像データを取得する機能と、当該映像データに基づく映像をディスプレイ上に表示する機能と、を有し、前記メタデータ格納ファイルには、放送番組の内容を文字化した番組コンテンツ要約テキストデータと、放送番組が放送されたチャンネル名と、前記映像データのタイムコードと、が前記複数のメタデータとして記録されており、前記番組コンテンツ要約テキストデータは前記放送番組を構成する記事単位で作成され、前記ディスプレイ上には、前記放送番組を分類する分類項目部が表示されると共に、最新の個別のテレビニュース情報が文字によるメタデータにより放送時間順に表示された情報表示部が表示され、前記分類項目部の各分類項目を起動させた場合には対応する、前記記事単位で作成された前記番組コンテンツ要約テキストデータを含む番組コンテンツのテキストデータが表示されると共に、前記情報表示部の各表示部を起動させた場合には前記各表示部に対応する個別の動画情報及び説明文が表示されるように構成されていることを特徴とする。
【００１２】
ここで「映像データ」とは、前記請求項１の場合と同様に、例えば、所定時間に亘るある放送番組全体の映像、放送番組を構成するコーナー映像、さらに、放送番組を構成する各記事単位の映像、に対応する映像データを含む概念である。
従って、請求項２記載の発明にあっては、使用者は、携帯端末のブラウザ機能を利用して広域通信ネットワークを介してメタデータ格納ファイルにアクセスしてテレビ放送局により放送された映像に対応する前記メタデータをディスプレイ上に表示させ、自分の希望するメタデータを選択する。メタデータが選択された場合には広域通信ネットワークを介して前記記録手段の前記記録ファイルにアクセスして当該メタデータに対応する映像データを取得してディスプレイ上に映像を表示する。
【００１３】
請求項３記載の発明にあっては、前記テレビ放送局は、我が国における全ての地上局及び衛星放送の放送局であり、前記放送番組は、当該テレビ放送局が放送した全ての放送番組である、ことを特徴とする。
【００１４】
従って、請求項２記載の発明にあっては、前記録画手段は、全ての放送局の全ての放送番組を録画する。その結果、使用者は全ての放送局による全ての放送番組から自分が見たい番組又はコーナーを選択することができる。
【００１５】
請求項４記載の発明にあっては、前記携帯端末は多機能携帯電話であることを特徴とする。従って、使用者は多機能携帯電話、即ち、スマートフォンを使用して全ての放送局が放送した全放送番組を視認することができる。
【００１６】
また、録画ファイルは、放送された番組コンテンツと、チャンネル名と、タイムコードと、を有する。
【００１７】
また、記録ファイルは、放送された番組コンテンツと、チャンネル名と、タイムコードと、を有する。
【００１８】
また、メタデータ格納ファイルには、放送番組の内容を文字化した番組コンテンツ要約テキストデータと、チャンネル名と、タイムコードと、が記録されている。
【００１９】
従って、使用者が携帯端末を利用して放送番組を視認したいと考えた場合には、携帯端末は広域通信ネットワークを介して、前記メタデータ格納手段のメタデータ格納ファイルにアクセスして複数のメタデータをディスプレイ上に表示する。
【００２０】
使用者が前記メタデータの中から希望するメタデータを選択した場合には、携帯端末はメタデータのチャンネル名及びタイムコードを利用して、前記録画ファイルまたは前記記録ファイルにアクセスして選択されたメタデータに対応する映像を取得してディスプレイ上に表示する。
【００２１】
請求項５記載の発明にあっては、前記広域通信ネットワークは、インターネットであることを特徴とする。
【００２２】
請求項６記載の発明にあっては、前記記録ファイルに記録された映像データは、ＭＰＥＧ−２ＰＳフォーマットにより記録されていることを特徴とする。
「ＭＰＥＧ−２ＰＳフォーマット」とは、ＭＰＥＧ−２システムの一規格フォーマットであり、画像ＥＳ（エレメンタリーストリーム）及び音声ＥＳ（エレメンタリーストリーム）を多重化し伝送又は蓄積するためのデータ形式であり、「プログラムストリーム」と呼ばれている。
【発明の効果】
【００２３】
請求項１記載の発明にあっては、使用者は、携帯端末を利用して広域通信ネットワークを介してメタデータ格納ファイルにアクセスしてテレビ放送局により放送された映像に対応する複数のメタデータをディスプレイ上に表示させて自分の希望するメタデータを選択し、メタデータが選択された場合には、携帯端末を利用して広域通信ネットワークを介して前記録画手段の前記録画ファイルにアクセスして当該メタデータに対応する映像を取得してディスプレイ上に表示するように構成されていることから、使用者は携帯端末のディスプレイ上において、使用者が希望するテレビ放送局が放送した放送番組、放送番組を構成するコーナー映像又は記事単位の映像を視認することができる。
【００２４】
請求項２記載の発明にあっては、使用者は、携帯端末を利用して広域通信ネットワークを介してメタデータ格納ファイルにアクセスしてテレビ放送局により放送された映像に対応する前記メタデータをディスプレイ上に表示させ、自分の希望するメタデータを選択する。メタデータが選択された場合には広域通信ネットワークを介して前記記録手段の前記記録ファイルにアクセスして当該メタデータに対応する映像データを取得してディスプレイ上に映像を表示するように構成されていることから、例えば、テレビ放送局が自社又は関連する会社において、自社が放送した放送番組の映像データからなる記録ファイルをハードディスク等の記録手段に記録保存している場合には、その記録手段の記録ファイルにアクセスして携帯端末のディスプレイ上において、使用者が希望するテレビ放送局が放送した放送番組の映像、放送番組を構成するコーナーの映像又は記事単位の映像を視認することができる。
【００２５】
特に、上記携帯端末が実現する各機能にあっては、多機能携帯電話、即ち、スマートフォンが有する機能を利用することによって、放送番組又はコーナーの映像を視認することができる。
【図面の簡単な説明】
【００２６】
【図１】本発明に係る携帯端末映像表示システムの一実施の形態を示す概念図である。
【図２】本発明に係る携帯端末映像表示システムの一実施の形態を示す概念図であって、携帯端末及び携帯端末のディスプレイに表示されるメタデータの一例を示し、メタデータが表示される最初のページを示す図である。
【図３】本発明に係る携帯端末映像表示システムの一実施の形態を示す概念図であって、携帯端末及び携帯端末のディスプレイに表示されるメタデータ及び対応する映像を示す画像の一例を示し、メタデータが表示される次ページを示す図である。
【図４】本発明に係る携帯端末映像表示システムの一実施の形態を示す概念図であって、携帯端末及び携帯端末のディスプレイに表示される映像コンテンツを表示する画像の一例を示す、さらに次のページを示す図である。
【図５】本発明に係る携帯端末映像表示システムの他の実施の形態を示す概念図である。
【発明を実施するための最良の形態】
【００２７】
以下、添付図面に示す実施の形態に基づき、本発明を詳細に説明する。
図１に示すように、本実施の形態に係る携帯端末映像表示システム１０は、テレビ放送局２５が放送した放送番組の映像を録画する録画ファイル１１を有する録画手段１２と、前記録画手段１２により録画された映像に対応するメタデータを格納するメタデータ格納ファイル１３を有するメタデータ格納手段１４と、広域通信ネットワーク１５を介して前記録画ファイル１１及びメタデータ格納ファイル１３にアクセスしうる携帯端末としてのスマートフォン１６とを備えている。
【００２８】
スマートフォン１６は前記メタデータ格納ファイル１３に格納された複数のメタデータをディスプレイ１７上に表示し、使用者が前記ディスプレイ１７上に表示されたいずれかのメタデータ１８を選択した場合には、前記録画ファイル１１にアクセスして前記録画手段１２の録画ファイル１１から選択されたメタデータ１８に対応する映像を取得して、当該映像をディスプレイ１７上に表示するように構成されている。
【００２９】
本実施の形態においては、録画手段１２は全てのテレビ放送局２５、例えば、我が国における全ての地上局及び衛星放送の放送局から放送された全ての放送番組の映像を、所定期間、例えば１ヶ月に亘って録画しうるように所定の容量のハードディスク型の記憶装置を有する大型の録画装置である。
本実施の形態において、録画手段１内に装備されたハードディスク内の録画ファイル１１は、テレビ放送局２５により放送された映像からなる番組コンテンツ１９と、番組コンテンツ１９が放送されたチャンネル名２０と、番組コンテンツ１９のタイムコード２１に関する情報を有している。
この場合、番組コンテンツ１９は、放送番組単位、当該放送番組を構成するコーナー単位、又は当該放送番組を構成する記事単位からなる。
【００３０】
また、メタデータ格納手段１４のメタデータ格納ファイル１３には、番組コンテンツ要約テキストデータ２２と、番組コンテンツ１９が放送されたチャンネル名２３と、番組コンテンツ１９のタイムコード２４とが記録されている。番組コンテンツ要約テキストデータ２２とは、テレビ放送局２５により放送された放送番組の内容を文字化して要約したものである。
番組コンテンツ要約テキストデータ２２は、番組コンテンツ１９と同様に、放送番組単位、当該放送番組を構成するコーナー単位、又は当該放送番組を構成する記事単位からなる。
【００３１】
本実施の形態にあっては、この番組コンテンツ要約テキストデータ２２は、所定人数の人手を介して、テレビ放送局２５の放送に伴ってリアルタイムで、放送された放送番組の内容を文字化することにより随時、更新作成される。
【００３２】
即ち、図２に示すように、本実施の形態に係る携帯端末映像表示システム（以下、「本システム」とも称する）１０にあっては、スマートフォン１６のディスプレイ１７上には、本システム１０を起動させた場合には本システムのトップページ３４が表示され、トップページ３４の上半部には「ビッグニュース」、「新着まとめ」、「特集」、「イチ押し」、「ＣＭ」、「ランキング」、「生活」等の分類項目部２６が設けられると共に、下半部にはシステム起動時におけるリアルタイムの最新のＴＶ情報を紹介する最新のＴＶ情報表示部２７が表示される。
【００３３】
分類項目部２６には、全てのテレビ放送局２５が放送した全放送番組を使用者が選択しやすいように使用者の視点で分類されて表示されている。従って、「ビッグニュース」、「新着まとめ」、「特集」、「イチ押し」、「ＣＭ」、「ランキング」、「生活」等の夫々の項目ボタン２８をタッチした場合には、図３に示すように、各項目の中でさらに細かく分類された個々のニュースに関するメタデータ（各ニュースのタイトル、要約文）及び、対応する映像情報が相互に関連付けられて多数収納されている。
【００３４】
即ち、例えば、使用者が、図２に示す分類項目部２６の中で「ビッグニュース」２８ａをタッチした場合には、図３に示すように、ディスプレイ１７上に次の画面３６が展開され、次の画面３６においてディスプレイ１７の上部に、「ビッグニュース」２８ａであると判断された三大ニュース２９が文字によるテキストデータとして表示され、ディスプレイ１７の下部には、三大ニュース２９の個々のニュースに関する文字データによるタイトル３０ａ、１週間における全放送局による放送番組数３１、該当する映像情報の静止画像３２、及び当該静止画像３２の放送日３３、放送時間３４、番組名３５及びメタデータとしての番組内容の要約文４０が表示される。
【００３５】
一方、ＴＶ情報表示部２７においては、本システム起動時における直近、最新のテレビ放送のニュース情報が放送時間順に、新しいものをトップにした順番で配置表示されている。即ち、各ニュース２９は、「放送時間」３０、「テレビ放送局名」３８、「分野名」３２、「ニュース内容の要約タイトル」３３が表示され、当該表示文字にタッチした場合には次の画面が展開され、次の画面においては当該ニュースの、より詳細な文字データによる説明文及び対応する動画情報が添付されているように構成されている。
【００３６】
また、図３に示すように、画面３６において表示されている映像情報の静止画像３２をタッチした場合には、ディスプレイ１７上にさらに次の画面３９が展開され、当該画面３９において静止画像３２が拡大表示され、当該静止画像３２中に表示された再生ボタン３７をタッチすることにより「米国大統領訪日」というタイトルに対応する映像コンテンツが動画として再生されるように構成されている。
【００３７】
以下、本実施の形態に係る携帯端末映像表示システム１０の機能及び作用に関し説明する。
本システム１０を利用してテレビ放送局２５が放送した番組又は番組のコーナーを見ようとする場合には、スマートフォン１６により本システム１０を起動させる。本システム１０の起動により、図２に示すように、ディスプレイ１７上において本システムのトップページ３４が表示される。
【００３８】
使用者がトップページ３４の分類項目部２６の項目ボタン２８の内、例えば、「ビッグニュース」２８ａにタッチした場合には、図３に示すように、ディスプレイ１７上において次の画面３６が展開され、当該「ビッグニュース」２８ａに対応する文字データによる３つのビッグニュースのタイトル３０及びこれに対応する映像コンテンツの静止画像３２がディスプレイ１７上に表示される。
使用者は当該静止画像３２にタッチした場合には、図４に示すように、静止画像３２のみが拡大表示され、中央に配置された再生ボタン３７にタッチすることにより、放送番組、番組を構成するコーナー映像又は記事単位の映像コンテンツを動画として見ることができる。
【００３９】
図５は、本発明に係る他の実施の形態を示す。
本実施の形態に係る携帯端末映像表示システム５０は、テレビ放送局２５が自社又は関連する他の会社において、自社が放送した放送番組をハードディスク等の記録媒体により記録保存している場合の概念図を示しており、使用者は図５に示す携帯端末映像表示システム５０により番組コンテンツ４３を携帯端末により取得する。前記実施の形態と同一の概念に関しては同一符号を付して説明を省略する。
【００４０】
本実施の形態に係る携帯端末映像表示システム５０は、テレビ放送局２５が放送した放送番組の映像データを記録する記録ファイル４２を有する記録手段４１と、前記記録手段４１により記録された映像のメタデータを格納するメタデータ格納ファイル１３を有するメタデータ格納手段１４と、広域通信ネットワーク１５を介して記録ファイル４２及びメタデータ格納ファイルに１３にアクセスしうる携帯端末としてのスマートフォン１６とを備えている。
【００４１】
スマートフォン１６はメタデータ格納ファイル１３に格納されたメタデータをディスプレイ１７上に表示し、使用者がディスプレイ１７上に表示されたメタデータを選択した場合には、記録ファイル４２にアクセスして記録手段４１の記録ファイルから選択されたメタデータに対応する映像を取得して、当該映像をディスプレイ１７上に表示しうるように構成されている。
【００４２】
記録ファイル４２は、放送された番組コンテンツ４３と、番組コンテンツ４３が放送されたチャンネル名４４と、番組コンテンツ４３のタイムコード４５とを有している。
【００４３】
本実施の形態にあっても、広域通信ネットワークはインターネットであると共に携帯端末はスマートフォン１６である。
【００４４】
記録ファイル４２に記録された映像データは、ＭＰＥＧ−２ＰＳフォーマットにより記録されている。テレビ放送局２５においては、一般に、テレビ放送は一般及びＨＤＴＶ（高精細度テレビジョン）を含めてＭＰＥＧ−２の規格フォーマットを利用して行われている。なお、「ＭＰＥＧ」は動画等をデジタル化する際の基準に関する標準規格である。
【００４５】
一方、「ＭＰＥＧ−２システム」はＭＰＥＧ−２を多重化し伝送するための規格であり、「ＭＰＥＧ−２ＰＳ」は「プログラムストリーム」と称されている。
符号化された個々の画像・音声データであるエレメンタリストリーム（ＥＳ）を適当な大きさにパケット化したものをＰＥＳと呼び、ＰＥＳを多重化し伝送又は蓄積するためにＭＰＥＧ−２ＰＳが使用される。
【００４６】
ＭＰＥＧ−２ＰＳは、単一のプログラム（相互に同期された一組の映像や音声等）を光ディスク又はＨＤＤ等の記録媒体の、エラーの可能性が低い環境で取り扱うことを想定した形式であり、ＤＶＤ等の記録形式として使用されている。
【００４７】
従って、本実施の形態に係る携帯端末映像表示システム５０を利用してテレビ放送局２５が放送した番組又は番組のコーナーを見ようとする場合には、前記実施の形態における場合と同様に、スマートフォン１６により携帯端末映像表示システム５０を起動させて、図２に示すように、ディスプレイ１７上においてメタデータからなるトップページ３４が表示させ、トップページ３４の分類項目部２６の項目ボタン２８を適宜選択し、ディスプレイ１７上に表示された対応する映像コンテンツの静止画像３２をタッチすることにより、図４に示すように、静止画像３２のみが拡大表示され、中央に配置された再生ボタン３７にタッチすることにより映像コンテンツを動画として見ることができる。
【００４８】
本実施の形態にあっては、広域通信ネットワーク１５はインターネットである場合を例に説明したが、ＷＡＮ等の範囲が限定されたエリアネットワークにより本発明に係る携帯端末映像表示システムを実施することもできる。また、本実施の形態にあっては、携帯端末としてスマートフォンを例に説明したが本実施の形態に限定されず、インターネットへアクセスしてウェブを閲覧できるウェブブラウザを備えたいわゆるＰＤＡであればよく、スマートフォンに限定されない。
【００４９】
さらに、前記実施の形態にあっては、スマートフォン１６によりテレビ放送局２５の放送番組を録画した録画手段１２の録画ファイル１１又は、放送局又は関連会社等が保有する記録手段４１の記録ファイル４２にアクセスして番組コンテンツ１９、４３を取得する場合を例に説明したが、これに限定されず、例えば、メタデータ格納手段１４のメタデータ格納ファイル１３のメタデータに基づきインターネット上に存在する動画共有サービスサイト（例えば、「Ｙｏｕ  Ｔｕｂｅ（登録商標）」等）が所有する録画手段にアクセスして、当該メタデータに対応付けられた動画情報としての番組コンテンツを取得するように構成してもよい。
【００５０】
また、前記実施の形態にあっては、スマートフォン等の携帯端末が有するブラウザ機能を利用して録画手段１２又は記録手段４１にインターネットを介してアクセスしてＴＶ放送の番組コンテンツ１９、４３を取得する場合を例に説明したが、これに限定されず、例えば、ブラウザ機能を有するアプリケーションをダウンロードし又はインストールして、当該アプリケーション内のブラウザ機能を使って録画手段１２又は記録手段４１にアクセスするように構成することも可能である。
【産業上の利用可能性】
【００５１】
本発明は携帯端末を利用してテレビ放送された映像を表示させることができることから、広く産業上の利用可能性を有している。
【符号の説明】
【００５２】
１０  携帯端末映像情報表示システム
１１  録画ファイル
１２  録画手段
１３  メタデータ格納ファイル
１４  メタデータ格納手段
１５  広域通信ネットワーク
１６  携帯端末（スマートフォン）
１７  ディスプレイ
１８  メタデータ
１９  番組コンテンツ
２０  チャンネル名
２１  タイムコード
２２  番組コンテンツ要約テキストデータ
２３  チャンネル名
２４  タイムコード
２５  テレビ放送局
２６  分類項目部
２７  ＴＶ情報表示部
２８  項目ボタン
２９  三大ニュース
３０  タイトル
３１  放送番組数
３２  映像情報の静止画像
３３  放送日
３４  放送時間
３５  番組名
３６  画面
３７  再生ボタン
３８  テレビ放送局名
３９  画面
４０  番組内容の要約文
【図１】
0006697841.tif 000002
【図２】
0006697841.tif 000003
【図３】
0006697841.tif 000004
【図４】
0006697841.tif 000005
【図５】
0006697841.tif 000006